(57)【要約】【課題】収納部本体を出し入れするだけで傾倒収納部を傾倒でき、傾倒後はその傾倒姿勢をそのまま維持することのできる使い勝手と収納性に優れたスライド式収納庫を提供する。【解決手段】収納部本体５がキャビネット３の前方に完全に引き出される直前の段階において当接頭部３３が回動作動突起４７に当接して、傾倒収納部７は傾倒作動部材３１によって圧縮コイルバネ４５の付勢力に抗して押され使用者側に傾倒する。収納部本体５をキャビネット３の前方に完全に引き出した後も傾倒収納部７の傾倒姿勢はそのまま維持されるから、使用者は一升瓶、包丁、まな板等の被収納物Ａを傾倒収納部７の上方において固定状態で収納部本体５に対して設けられている棚板４９等に邪魔されることなく容易に安心して取り出したり、収納したりすることができる。【選択図】        図２
2007144010.tif 000002
【特許請求の範囲】
【請求項１】
キャビネットと、前記キャビネットに格納、引出し自在に備えられる収納部本体と、前記収納部本体に対して所定の角度側面方向に回動し得るように備えられる傾倒収納部と、前記傾倒収納部の一部がキャビネット内にある状態では傾倒収納部の回動を規制して直立姿勢を維持し、傾倒収納部がキャビネットから完全に引き出された状態では傾倒収納部の回動を許容して傾倒姿勢に移行させてそのまま傾倒姿勢を維持する傾倒復帰機構とを備えていることを特徴とするスライド式収納庫。
【請求項２】
請求項１に記載したスライド式収納庫において、傾倒復帰機構には傾倒収納部を常時直立姿勢となる方向に付勢する付勢手段が設けられており、且つ一端が傾倒収納部に接続され、他端に当接頭部が備えられた傾倒作動部材と、キャビネットの前面開口付近の内側面に設けられ、前記当接頭部に当接することで前記傾倒収納部を前記付勢手段の付勢力に抗して傾倒方向に回動させる回動作用突起とを備えていることを特徴とするスライド式収納庫。
【請求項３】
請求項１に記載したスライド式収納庫において、傾倒復帰機構には傾倒収納部を常時傾倒方向に付勢する付勢手段が設けられており、且つ傾倒収納部に接続されると共にキャビネットの内側面に当接するように側方に張り出した形状の傾倒作動部材が設けられていることを特徴とするスライド式収納庫。
【発明の詳細な説明】
【技術分野】
【０００１】
本発明は例えばシステムキッチンのキャビネットの一部に組み込まれるスライド式の収納庫に係り、特にキャビネット内に格納されている収納部本体を手前に引き出すと側面方向に傾倒するスライド式収納庫に関するものである。
【背景技術】
【０００２】
例えばシステムキッチンのスライド式の収納庫は、キャビネットに対し格納、引出し自在に収納庫本体が備えられており、この収納庫本体に包丁等を収容しておく収納部が設けられている。
しかしながら、従来のスライド式収納庫の収納部は収納庫本体に固定されており動かすことができない。従って、包丁等の被収納物を常に収納部の真上から出し入れしなければならず、甚だ使い勝手が悪い。特に包丁等のようにある程度長尺な台所用品は特に出し入れし難いという問題がある。
【０００３】
また上記の収納部の上部空間は被収納物を出し入れするため開放しておく必要がある。従って収納スペースに利用することができず、全くのデッドスペースになってしまう問題がある。
【発明の開示】
【発明が解決しようとする課題】
【０００４】
本発明は上記背景技術が抱える問題点の存在を踏まえてなされたものであって、収納部本体を出し入れするだけで自動的に傾倒収納部を傾倒させたり、直立姿勢に移行させたりることができ、一旦収納部を傾倒させた後はその傾倒姿勢をそのまま維持することができて、収納部の上部空間を有効利用することができる使い勝手と収納性に優れたスライド式収納庫を提供することを目的とする課題とする。
【課題を解決するための手段】
【０００５】
上記課題を解決するために、請求項１に記載した発明は、キャビネットと、前記キャビネットに格納、引出し自在に備えられる収納部本体と、前記収納部本体に対して所定の角度側面方向に回動し得るように備えられる傾倒収納部と、前記傾倒収納部の一部がキャビネット内にある状態では傾倒収納部の回動を規制して直立姿勢を維持し、傾倒収納部がキャビネットから完全に引き出された状態では傾倒収納部の回動を許容して傾倒姿勢に移行させてそのまま傾倒姿勢を維持する傾倒復帰機構とを備えていることを特徴とするスライド式収納庫である。
【０００６】
請求項２に記載した発明は、請求項１に記載したスライド式収納庫において、傾倒復帰機構には傾倒収納部を常時直立姿勢となる方向に付勢する付勢手段が設けられており、且つ一端が傾倒収納部に接続され、他端に当接頭部が備えられた傾倒作動部材と、キャビネットの前面開口付近の内側面に設けられ、前記当接頭部に当接することで前記傾倒収納部を前記付勢手段の付勢力に抗して傾倒方向に回動させる回動作用突起とを備えていることを特徴とするスライド式収納庫である。
【０００７】
請求項３に記載した発明は、請求項１に記載したスライド式収納庫において、傾倒復帰機構には傾倒収納部を常時傾倒方向に付勢する付勢手段が設けられており、且つ傾倒収納部に接続されると共にキャビネットの内側面に当接するように側方に張り出した形状の傾倒作動部材が設けられていることを特徴とするスライド式収納庫である。
【発明の効果】
【０００８】
収納部本体を出し入れするだけで自動的に傾倒収納部を傾倒させたり、直立姿勢に移行させたりすることができ、一旦収納部を傾倒させた後はその傾倒姿勢をそのまま維持することができて、使い勝手を向上することができる。
また、収納部の上部空間も有効利用することができて、収納性を向上することができる。
非傾倒収納部を一旦傾倒姿勢に移行した後は、収納部本体をキャビネット側に移動させない限り、その傾倒姿勢をそのまま維持できるから被収納物の取り出し及び収納が容易に安心して行えるようになる。
【０００９】
傾倒収納部側に当接頭部を備えた傾倒作動部材を設け、キャビネットの前面開口付近の内側面に当接頭部に当接する回動作用突起を設けた構造を採用した場合には、収納部本体の出し入れに際し当接頭部と回動作用突起は常時摺接しているのではなく、収納部本体を完全に引き出す手前の段階から摺接することになるから当接頭部と回動作用突起の摩耗を少なくすることができる。
【発明を実施するための最良の形態】
【００１０】
以下、本発明のスライド式収納庫を実施するための最良の形態を説明する。
図１〜４に実施の形態１に係るスライド式収納庫１を示す。このスライド式収納庫１は、システムキッチンに備えられる。
キャビネット３は前後方向に長い角箱状を為しており、このキャビネット３に収納部本体５が収容される。
キャビネット３の左右の内側面の上部には収納部本体５の前後方向の移動を案内するガイド部材１１が設けられている。またキャビネット３の左右の内側面の下部には収納部本体５を前方に引き出し可能に保持する所謂フルオープンタイプのスライドレール１３が設けられている。
【００１１】
収容部本体５の構成について説明する。
符号６は籠部を示し、この籠部６は丸棒状の複数本の線材８を適宜折り曲げて形成された角枠状の部材である。籠部６の底面には底板１５が設けられている。また籠部６の前面には矩形平板状の前面パネル１７が設けられており、前面パネル１７には把手１９が取り付けられている。
【００１２】
傾倒収納部７は上面が開口する偏平な角箱状の部材であり、上縁にはプラスチック製の保護カバー２１が取り付けられている。傾倒収納部７は、その前面側と後面側の中間付近から下方の部分は断面凹字状の保持ブラケット２３によって保持されている。一対の保持ブラケット２３の下部には回動軸２５がそれぞれ設けられており、回動軸２５は前方と後方にそれぞれ突出している。
回動軸２５は収納部本体５に取り付けられたブラケット２７及び軸受部材２９によって回動自在に支持されており、傾倒収納部７は回動軸２５を中心として側面方向に所定の角度回動できる。
【００１３】
傾倒復帰機構９の構成について説明する。
符号４３は長穴プレートを示し、この長穴プレート４３には上下方向に延びる長穴４４が形成されている。長穴プレート４３は籠部６の下部、即ち籠部６の下部を構成する２本の線材８に固定されている。
符号３１は傾倒作動部材を示し、この傾倒作動部材３１は大径部３９と小径部４０を有し段差が形成された丸棒と、この小径部４０の先端に設けられたプラスチック製の球形の当接頭部３３とから構成されている。大径部３９の直径は長穴４４の幅寸法より大きく、小径部４０の直径は長穴４４の幅寸法より僅かに小さく設定されている。
【００１４】
傾倒作動部材３１の大径部３９は傾倒収納部７の保持ブラケット２３に固定されており、小径部４０は長穴プレート４３の長穴４４に動作自在に挿通されている。そして小径部４０には付勢手段としての圧縮コイルバネ４５が嵌められており、この圧縮コイルバネ４５は一端部が長穴プレート４４に弾接し、他端部が当接頭部３３に弾接している。圧縮コイルバネ４５の付勢力によって傾倒収納部７は直立姿勢を維持するようになっている。
【００１５】
キャビネット３の前面開口付近の内側面には当接頭部３３に当接することで傾倒収納部７を圧縮コイルバネ４５の付勢力に抗して傾倒方向に回動させる回動作動突起４７が設けられている。
傾倒復帰機構は、傾倒作動部材３１、長穴プレート４４、圧縮コイルバネ４５及び回動作動突起４７によって構成されている。
【００１６】
次にこのようにして構成される実施の形態１に係るスライド式収納庫１の使用の手順と作動の態様を（１）引出し時と（２）格納時に分けて説明する。
（１）引出し時（図２、３、４参照）
キャビネット３内に格納された状態のスライド式収納庫１を使用する場合には前面パネル１７の前面に設けられている把手１９に指を掛けて収納部本体５を手前に引き出すようにする。
この時、当接頭部３３はキャビネット３の内側面に対して非接触状態であるからキャビネット３側からの摩擦抵抗を受けることなく収納部本体５はガイド部材１１とスライドレール１３に案内されて円滑に引き出される。
【００１７】
そして収納部本体５がキャビネット３の前方に完全に引き出される直前の段階において当接頭部３３が回動作動突起４７に当接して、傾倒収納部７は傾倒作動部材３１によって圧縮コイルバネ４５の付勢力に抗して押され使用者側に傾倒する。この際に、傾倒作動部材３１が傾くが、小径部４０は上下方向に延びる長穴４４に動作自在に挿通されているので、傾倒作動部材３１の動作が規制されることはない。
収納部本体５をキャビネット３の前方に完全に引き出した後も傾倒収納部７の傾倒姿勢はそのまま維持されるから、使用者は一升瓶、包丁、まな板等の被収納物Ａを傾倒収納部７の上方において固定状態で収納部本体５に対して設けられている棚板４９等に邪魔されることなく容易に安心して取り出したり、収納したりすることができる。
【００１８】
（２）格納時（図２、３、４参照）
キャビネット３の前方に引き出された状態の収納部本体５をキャビネット３内に格納する場合には前面パネル１７の前面に設けられている把手１９を手に持って収納部本体５をキャビネット３側に押し込む。
しばらくすると当接頭部３３と回動作動突起４７の当接状態が解除されるようになり、傾倒収納部７は圧縮コイルバネ４５の付勢力によって直立姿勢になる。
以後、当接頭部３３はキャビネット３の内側面に対して非接触状態となり、収納部本体５はキャビネット３側から摩擦抵抗を受けることなくガイド部材１１とスライドレール１３に案内されてキャビネット３内に押し込まれて行き、格納状態となる。
【００１９】
図５、６に実施の形態２に係るスライド式収納庫５１を示す。尚、実施の形態２に係るスライド式収納庫５１の基本的な構成は前記実施の形態１に係るスライド式収納庫１とほとんど同様であるので、同様の構成については実施の形態１の説明で使用した用語と符号を使用してその説明を省略し、ここでは異なる構成である傾倒復帰機構５３を中心に説明する。
実施の形態２では前記実施の形態１と異なって、傾倒収納部７は自重によって常時傾倒するように設定されており、本実施の形態においては付勢手段は自重（重力）である。
【００２０】
傾倒収納部７の後端部に対して傾倒復帰機構５３の構成部材の１つである傾倒作動部材５５が設けられており、キャビネット３の内側面に対して傾倒作動部材５５の一部が常時摺接する傾倒復帰機構５３のもう１つの構成部材である摩擦低減部材５７が設けられている。
傾倒作動部材５５は収納部本体５の構成部材である丸棒状の部材を適宜折り曲げることによって形成されている。
【００２１】
傾倒作動部材５５の一端は傾倒収納部７の後端部における保持ブラケット２３に対して溶接によって接続されている。当該溶接部位は回動軸２５近傍における自由端側の保持ブラケット２３のコーナー部付近に設定されている。
また傾倒作動部材５５は保持ブラケット２３の外側面に沿ってキャビネット３の内側面に向けて延長形成されており、延長形成された傾倒作動部材５５の他端部には鉤状に大きく曲げられた当接部５９が設けられている。
【００２２】
摩擦低減部材５７はポリ四フッ化エチレン等のプラスチック材料によって形成される前後方向に長い平板状部材である。そして摩擦低減部材５７の表面は平滑に加工されており、キャビネット３の内側面に当接するように側方に大きく張り出した上記当接部５９が常時、当該摩擦低減部材５７をキャビネット３の内側面側に押圧した状態で摺接する。
【００２３】
この他、実施の形態２では被収納物Ａとして包丁を想定しており、傾倒収納部７の上縁には保護カバー２１に代えて包丁を挿し込むための４本のスリット６１が形成された蓋材６３が取り付けられている。
また保持ブラケット２３の形状も実施の形態１のものと相違しており、傾倒収納部７の前面及び後面と、傾倒方向と反対側の側面を覆うように設けられる前後方向に長い平面視凹字形状の１枚の保持ブラケット２３によって構成されている。
【００２４】
次にこのようにして構成される実施の形態２に係るスライド式収納庫５１の使用の手順と作動の態様を（１）引出し完了時と（２）移動時及び格納時に分けて説明する。
（１）引出し完了時（図６参照）
前面パネル１７の前面に設けられている把手１９に指を掛けて収納部本体５を手前にいっぱいに引き出すと、図示のように今まで摩擦低減部材５７に摺接していた当接部５９における屈曲部６５が摩擦低減部材５７から外れて屈曲部６５より更に先端側の部位の当接部５９が摩擦低減部材５７に当接した状態となる。
この状態では今まで傾倒収納部７の直立姿勢を維持していた傾倒作動部材５５の付勢力が弱まるため、傾倒収納部７は回動軸２５を中心にして使用者側に回動し傾倒姿勢となる。またこの状態では、傾倒収納部７は傾倒姿勢が維持され、使用者は容易に、安心して被収納物Ａの取り出し及び収納を実行することができる。
【００２５】
（２）移動時及び格納時（図６参照）
収納部本体５の移動時や格納時には当接部５９における屈曲部６５が摩擦低減部材５７に対して摺接されているから、傾倒収納部７は直立姿勢となり、傾倒収納部７がキャビネット３の内側面等に摺接することはなく、収納部本体５の円滑な移動ができる。また摩擦低減部材５７によって当接部５９とキャビネット３の内側面との間に生ずる摩擦抵抗は極力小さく抑えられる。
【００２６】
以上、本発明を実施するための最良の形態として図示の実施の形態１と実施の形態２を例に採って詳述してきたが、本発明の具体的構成は図示の実施の形態に限定されるものではなく、本発明の要旨から外れない範囲での設計変更等があっても本発明に含まれる。
例えば、本発明のスライド式収納庫１、５１はシステムキッチン用のキャビネット３に限らず、靴や傘、ワインやウイスキー等を始めとする種々の被収納物Ａを対象とした種々のキャビネット３に対して適用することが可能である。また図示は省略するが、収納部本体５と傾倒収納部７との間に傾倒収納部７の直立姿勢を設定する位置設定用のストッパを設けることも可能であり、このストッパをプラスチック材料等の弾性体によって形成すれば異音等が発生することはない。
【００２７】
また実施の形態１において設けた当接頭部３３と回動作動突起４７の配置を逆にして当接頭部３３をキャビネット３側、回動作動突起４７を傾倒収納部７側に設けることも可能である。
同様に実施の形態２において設けた当接部５９と摩擦低減部材５７の配置を逆にして当接部５９をキャビネット３側に摩擦低減部材５７を傾倒収納部７側に設けることも可能である。
【産業上の利用可能性】
【００２８】
本発明は例えばシステムキッチン用のキャビネットに取り付けることのできるスライド式収納庫の製造、使用分野等において利用でき、特に傾倒収納部の傾倒を収納部本体の出し入れによって自動的に行うことを可能にし、傾倒収納部の傾倒姿勢を維持することによって安心して被収納物の出し入れを行いたい場合に利用可能性を有する。
【図面の簡単な説明】
【００２９】
【図１】本発明の実施の形態１に係るスライド式収納庫を示す斜視図である。
【図２】本発明の実施の形態１に係るスライド式収納庫を示す背板を取り外した状態の背面図である。
【図３】本発明の実施の形態１に係るスライド式収納庫を示すキャビネットの天板を取り外した状態の平面図である。
【図４】本発明の実施の形態１に係るスライド式収納庫における傾倒作動部材周辺を拡大して示す斜め後方からの斜視図である。
【図５】本発明の実施の形態２に係るスライド式収納庫を示す斜視図である。
【図６】本発明の実施の形態２に係るスライド式収納庫における傾倒作動部材周辺を拡大して示す上方からの斜視図である。
【符号の説明】
【００３０】
１  スライド式収納庫      ３  キャビネット        ５  収納部本体
６      籠部      ７  傾倒収納部      ８  線材
９  傾倒復帰機構      １１  ガイド部材
１３  スライドレール      １５  底板      １７  前面パネル
１９  把手      ２１  保護カバー      ２３  保持ブラケット
２５  回動軸      ２７  ブラケット      ２９  軸受部材
３１  傾倒作動部材      ３３  当接頭部      ３５  取付金具
３７  固定ナット      ３９    大径部      ４０  小径部
４３  長穴プレート      ４４  長穴
４５  圧縮コイルバネ      ４７  回動作動突起
４９  棚板      ５１  スライド式収納庫      ５３  傾倒復帰機構
５５  傾倒作動部材      ５７  摩擦低減部材      ５９  当接部
６１  スリット      ６３  蓋材      ６５  屈曲部
Ａ  被収納物
【図１】
2007144010.tif 000003
【図２】
2007144010.tif 000004
【図３】
2007144010.tif 000005
【図４】
2007144010.tif 000006
【図５】
2007144010.tif 000007
【図６】
2007144010.tif 000008